(57)【特許請求の範囲】
【請求項１】
まつ毛に対してパーマネントを施すためのまつ毛用ロットにおいて、
断面が円形の棒状の弾性体であって、
まつ毛をカールさせる曲面と、
上記曲面と対向する上記弾性体の周面の一部を、断面が略円弧状の凹部となるように上記曲面側に切り欠かれ、まぶたと接着される接着面とを有し、
目頭側となる上記弾性体の一方の端面の幅と比較して、目尻側となる上記弾性体の他方の端面の幅を広くするようにしたことを特徴とするまつ毛用ロット。
【請求項２】
上記弾性体の上記一方の端面から中央部周辺の部分の断面において、上記曲面が中心角で１８０度より広角となる円弧状とし、上記中央部周辺から上記他方の端面の部分の断面において、上記曲面が中心角で略１８０度となる半円状としたことを特徴とする請求項１に記載のまつ毛用ロット。
【発明の詳細な説明】
【０００１】
【発明の属する技術分野】
この発明は、まつ毛に対してパーマネントを施すときに用いられるまつ毛用ロットに関する。
【０００２】
【従来の技術】
従来、ビューラーを用いてまつ毛を上向きにさせて、目を大きく見せるようにするメイクは、女性にとって一般的である。これによって、他人に自分の目を大きく見せ、顔立ちをよりはっきりさせることができる。しかしながら、ビューラーは、単にまつ毛に癖をつけるだけであり、時間が経過すると元の状態に戻ってしまうので、人によっては、日に何度もビューラーを用いる必要があり手間がかかった。そこで近年、頭髪に施すパーマネントをまつ毛に対して施すようになってきた。
【０００３】
なお、まつ毛用ロットとして、円筒体の内径Ｒの異なる弾性体を用いて所望の外周Ｃとし、長さが４ｃｍまたは４．５ｃｍとなるように円筒体の周面の一部を一端から他端にわたって、１８０度より広角となる中心角で切り欠いたロット、略１８０度の中心角で切り欠いたロット、または１８０度より狭角となる中心角で切り欠いたロットを用意し、まつ毛にパーマネントを施すようにしている（例えば、特許文献１参照。）。
【０００４】
【特許文献１】実用新案登録第３０５８８３３号
【０００５】
ロットにまつ毛を固定し、まつ毛にパーマネントを施して、まつ毛にカールをかけ、まつ毛の先端を効果的に上向きにする場合、まつ毛をカールさせる面の半分以上にまつ毛を固定しなければならない。
【０００６】
【発明が解決しようとする課題】
しかしながら、まつ毛は目頭と目尻とでは長さが異なるため、まつ毛をカールさせるための曲面、すなわちまつ毛カール面が端から端までの断面の大きさが同一となるロットでは、全てのまつ毛をカールさせて、まつ毛の先端を効果的に上向きにすることができないという問題があった。
【０００７】
また、一重まぶた、二重まぶた、および奥二重まぶたとまぶたの状態によって、まつ毛の生え方が異なるため、まつ毛をカールさせても、まつ毛の先端を効果的に上向きすることが難しい問題があった。
【０００８】
さらに、まつ毛が目に入る方向に曲がっている逆さまつ毛という症状がある。まつ毛が目に入ると痛いので、治療のために病院に行くと、逆さまつ毛を抜くという治療が施される。しかしながら、まつ毛の抜かれた跡から再度まつ毛が生えると、前と同じように逆さまつ毛となり、再度逆さまつ毛を抜く必要があった。
【０００９】
さらに、治療のために逆さまつ毛が抜かれると、目元の雰囲気が大きく変わるので、特に女性の場合、まつ毛を抜くという治療に大きな抵抗があった。
【００１０】
従って、この発明の目的は、まつ毛にパーマネントを施すときに、目頭と目尻とで長さが異なる、および一重まぶた、二重まぶた、または奥二重まぶたであっても効果的にまつ毛を上向きにすることができるまつ毛用ロットを提供することにある。
【００１１】
さらに、この発明の目的は、まつ毛に対してパーマを施すことによって、逆まつ毛の症状を直すことができるまつ毛用ロットを提供することにある。
【００１２】
【課題を解決するための手段】
上述した課題を達成するために請求項１の発明は、まつ毛に対してパーマネントを施すためのまつ毛用ロットにおいて、断面が円形の棒状の弾性体であって、まつ毛をカールさせる曲面と、曲面と対向する弾性体の周面の一部を、断面が略円弧状の凹部となるように曲面側に切り欠かれ、まぶたと接着される接着面とを有し、目頭側となる弾性体の一方の端面の幅と比較して、目尻側となる弾性体の他方の端面の幅を広くするようにしたことを特徴とするまつ毛用ロットである。
【００１４】
このように、部分的に異なる長さのまつ毛や、まぶたの状態に応じた形状のロットを使用するため、全てのまつ毛をカールさせ、全てのまつ毛を効果的に上向きにする。
【００１５】
【発明の実施の形態】
以下、この発明の一実施形態について図面を参照して説明する。図１では、まつ毛の図示は省略しているが、一般的に鼻１に近い目頭２の周辺に生えているまつ毛は、中央部４から目尻３に生えているまつ毛と比較すると短い。
【００１６】
図２を参照して、まつ毛とまぶたの関係を説明する。参照符号１１はまつ毛を示し、参照符号１２はまぶたを示し、参照符号１３は眼球を示す。まぶた１２には、一重まぶた、二重まぶた、および奥二重まぶたがある。一重まぶたは、図２Ａに示すように、まぶた１２がまつ毛１１の上に重なるようにまつ毛１１が生えている。二重まぶたは、図２Ｂに示すように、まぶた１２がまつ毛１１に重ならないようにまつ毛１１が生えている。
【００１７】
奥二重まぶたは、目頭２から中央部４の周辺まで一重まぶたのように、まぶた１２がまつ毛１１に重なるようにまつ毛１１が生え、中央部４の周辺から目尻３まで二重まぶたのように、まぶた１２がまつ毛１１に重なるようにまつ毛１１が生えている。このように様々な状態で生えるまつ毛１１に対して効果的にパーマネントを施すことが必要とされる。
【００１８】
図３を参照して、まつ毛１１に対してパーマネントを施すとき、まつ毛１１を固定するためのロットの一例について説明する。この図３Ａには、まつ毛用ロットの正面図を示し、図３Ｂには、まつ毛用ロットの平面図を示す。
【００１９】
ロット２１は、弾性体、例えば天然ゴムまたは合成ゴムからなり柔軟特性を有する。例えば、ロット２１は、まつ毛１１の生え際に応じた所定の長さＬとする。一例として、長さＬは、４ｃｍ〜５ｃｍとする。なお、長さＬで示す長手方向は、目を閉じてまつ毛１１をロットに固定するため、略直線とする。そして、まぶた１２にロット２１を固定する面（以下、「裏面」と称する）が眼球の膨らみに応じたまぶたの曲がり具合に応じた半径Ｒ１とする。
【００２０】
また、目頭２の周辺の短いまつ毛１１に対応するために、両端のそれぞれの幅Ｄ１およびＤ２が異なるようにする。この第３の例では、幅Ｄ１より幅Ｄ２が大きいようにされている。従って、幅Ｄ１側は、目頭２側に生えているまつ毛１１を固定させ、幅Ｄ２側は、目尻３側に生えているまつ毛１１を固定させる。
【００２１】
図４を参照して、ロットの端面の形状の第１の例について説明する。ロットの平面図および正面図は、図３に示した形状と略同一の形状とされる。
【００２２】
図４Ａには、幅Ｄ１のロットの端面の第１の例を示し、図４Ｂには、幅Ｄ２のロットの第１の例を端面を示す。この図４に示すロットの端面の第１の例は、一重まぶた用のロットである。上述したように、一重まぶたの場合、まぶた１２がまつ毛１１に重なっているため、重なっているまぶた１２をよけるようにして、まつ毛１１をカールさせて、まつ毛１１の先端を効果的に上向きにするために図４に示すようなまつ毛１１をカールさせるための曲面が中心角で１８０度より広角となる円弧状の形状とされる。
【００２３】
さらに、幅Ｄ１のロットの端面の周面Ｃ１が幅Ｄ２のロットの端面の周面Ｃ２より小さくなるように設けられる。これは、まつ毛１１をロットに固定するときに、まつ毛１１がロットの周面の長さの半分より短い場合、まつ毛１１をカールすることができないため、目頭２の周辺となる部分は、ロットの幅Ｄ１の長さがロットの幅Ｄ２の長さより小さいもの、並びにロットの幅Ｄ１の端面の周面Ｃ１の大きさがロットの幅Ｄ２の端面の周面Ｃ２の大きさより小さいものが用いられる。
【００２４】
また、まぶた１２にロットを固定する裏面には、半径Ｒ２となるような曲率の円弧状の凹部が設けられている。このように半径Ｒ２となる凹部を設けることによって、まぶた１２とロットの密着度が高まり、ロットを固定することが容易となる。
【００２５】
図５を参照して、ロットの端面の形状の第２の例について説明する。ロットの平面図および正面図は、図３に示した形状と略同一の形状とされる。
【００２６】
図５Ａには、幅Ｄ１のロットの端面の第２の例を示し、図５Ｂには、幅Ｄ２のロットの第２の例を端面を示す。この図５に示すロットの端面の第２の例は、二重まぶた用のロットである。上述したように、二重まぶたの場合、まぶた１２がまつ毛１１に重なっていないため、一重まぶたのようにまぶた１２をよけなくても、まつ毛１１をカールさせて、まつ毛１１の先端を効果的に上向きにできるので図５に示すようなまつ毛１１をカールさせるための曲面が中心角で略１８０度となる半円状の形状とされる。
【００２７】
さらに、上述と同様に幅Ｄ１の周面Ｃ１が幅Ｄ２の周面Ｃ２より短くなるように設けられ、ロットの裏面には半径Ｒ２となるような曲率の円弧状の凹部が設けられる。
【００２８】
この二重まぶた用のロットを一重まぶたの人に使用すると、パーマネントがかけられたまつ毛１１にまぶたが被い重なるために、パーマネントをかけているにもかかわらず、まつ毛１１がカールしていないような感じに見える。
【００２９】
図６を参照して、ロットの端面の形状の第３の例について説明する。ロットの平面図および正面図は、図３に示した形状と略同一の形状とされる。
【００３０】
図６Ａには、幅Ｄ１のロットの端面の第３の例を示し、図６Ｂには、幅Ｄ２のロットの第３の例を端面を示す。この図６に示すロットの端面の第３の例は、奥二重まぶた用のロットである。上述したように、奥二重まぶたの場合、目頭２から中央部４の周辺の部分では、一重まぶたと同じようにまぶた１２がまつ毛１１に重なっているため、重なっているまぶた１２をよけるようにして、まつ毛１１をカールさせて、まつ毛１１の先端を効果的に上向きにするために図６Ａに示すようなまつ毛１１をカールさせるための曲面が中心角で１８０度より広角となる円弧状の形状とされる。
【００３１】
そして、中央部４の周辺から目尻３の部分では、二重まぶたと同じように、まぶた１２がまつ毛１１に重なっていないため、一重まぶたのようにまぶた１２をよけなくても、まつ毛１１をカールさせて、まつ毛１１の先端を効果的に上向きにできるので図６Ｂに示すようなまつ毛１１をカールさせるための曲面が中心角で略１８０度となる半円状の形状とされる。さらに、上述と同様に幅Ｄ１の周面Ｃ１が幅Ｄ２の周面Ｃ２より短くなるように設けられ、ロットの裏面には半径Ｒ２となるような凹部が設けられる。
【００３２】
図７を参照して、ロットの端面の形状の第４の例について説明する。ロットの平面図および正面図は、図３に示した形状と略同一の形状とされる。
【００３３】
図７Ａには、幅Ｄ１のロットの端面の第４の例を示し、図７Ｂには、幅Ｄ２のロットの第４の例を端面を示す。この図７に示すロットの端面の第４の例は、二重まぶた用で、よりまつ毛１１を上向きにするためのロットである。上述したように、二重まぶたの場合、まぶた１２がまつ毛１１に重なっていないため、一重まぶたのようにまぶた１２をよけなくても、まつ毛１１をカールさせて、まつ毛１１の先端を効果的に上向きにするために図７に示すようなまつ毛１１をカールさせるための曲面が中心角で１８０度より狭角となる円弧状の形状とされる。
【００３４】
さらに、上述と同様に幅Ｄ１の周面Ｃ１が幅Ｄ２の周面Ｃ２より短くなるように設けられ、ロットの裏面には半径Ｒ２となるような曲率の円弧状の凹部が設けられる。
【００３５】
なお、この図７に示す二重まぶた用のロットを一重まぶたの人に使用すると、パーマネントがかけられたまつ毛１１にまぶたが被い重なるために、パーマネントをかけているにもかかわらず、まつ毛１１がカールしていないような感じに見える。
【００３６】
ここで、図８のフローチャートを参照して、この発明のロットを用いた使用用法の一例を説明する。ステップＳ１では、既に施されている目の周りの化粧（ポイントメイク）が取り除かれる。例えば、濡れたコットンでマスカラやまぶたの上のアイシャドーが拭き取られる。このとき一例として、イスに座って、そのイスの背もたれが傾き体が斜めとなる状態とされる。
【００３７】
ステップＳ２では、まぶた１２に接着剤が塗布される。ステップＳ３では、まつ毛１１が梳かされる。ステップＳ４では、ロット２１の裏に接着剤が塗布される。
【００３８】
ステップＳ５では、まつ毛１１の付け根に沿うように、まぶた１２にロット２１が載せられる。このとき、目を閉じているため、まつ毛１１の付け根は略直線となっている。１分〜２分でまぶた１２にロット２１が固定される。
【００３９】
ステップＳ６では、まつ毛１１がまっすぐになるように美容液で梳かされる。ステップＳ７では、まつ毛１１の裏側、すなわちロット２１と接する側に接着剤が塗布される。ステップＳ８では、図９に示すようにまつ毛１１がロット２１に着けられる。このとき、１本ずつまたは数本ずつに分けて全てのまつ毛１１をロット２１に着ける。
【００４０】
ステップＳ９では、パーマネント用の薬が目に入らないようにするために、まぶた１２にガーゼを挟む。このとき、目頭２および目尻３にもガーゼまたはティッシュなどを挟む。
【００４１】
ステップＳ１０では、まつ毛１１の根元から全体の１／３にまつ毛１１を柔らかくするＡ液がつけられる。１回に用いられるＡ液の量は、通常の綿棒の頭位を使用する。このとき、毛先にＡ液がつかないように注意する。毛先にＡ液がついた場合、毛先は縮れる。Ａ液をつけた状態で１０分〜１５分間放置した後、Ａ液は綿棒で取り除かれる。
【００４２】
ステップＳ１１では、Ａ液と同様にＢ液がまつ毛１１の根元から全体の１／３につけられる。このＢ液は、Ａ液で柔軟にさせたまつ毛１１を元の固さにするための中和液である。Ｂ液をつけた状態で１２分〜１７分間放置した後、Ｂ液は綿棒で取り除かれる。
【００４３】
ステップＳ１２では、純水を染み込ませた綿棒でＢ液を拭き取り、ロット２１からまつ毛１１が取り外される。まぶた１２に挟んだガーゼを取り、最後に櫛でまつ毛１１を整える。
【００４４】
なお、このとき例えば、目尻の毛は、根元を強く仕上げることによって、より効果的に仕上げることができる。
【００４５】
通常、人間の左右の目の大きさは、異なるので、それぞれに最適な大きさのロットを使用すれば良く、左右同じロットを使用する必要はない。また、下まつ毛にも同様にパーマを施すことができる。
【００４６】
この発明は、上述したこの発明の一実施形態等に限定されるものではなく、この発明の要旨を逸脱しない範囲内で様々な変形や応用が可能である。
【００４７】
この実施形態では、既に用意されている十数種類の中から、目の大きさや、まつ毛１１の長さから最適な大きさのロットを選択して、まつ毛１１に対してパーマネントを施しているが、個々の人の目の大きさや、まつ毛１１の長さに応じて最適なものをその都度作成して、用いるようにしても良い。
【００４８】
この実施形態では、ロット２１の裏面が眼球の膨らみに応じたまぶたの曲がり具合に応じた半径Ｒ１とされているが、略直線状としても良い。
【００４９】
この実施形態では、ロット２１の裏面には、半径Ｒ２となるような曲率の円弧状の凹部が設けられているが、幅Ｄ１およびＤ２のそれぞれの端面にあわせて異なる半径としても良い。
【００５０】
【発明の効果】
この発明に依れば、目の大きさ、まつ毛の長さ、およびまぶたの状態に応じたロットを選択して、まつ毛にパーマネントを施すことができるので、全てのまつ毛をカールさせることができ、まつ毛の先端を効果的に上向きにすることができる。
【００５１】
この発明に依れば、まつ毛にパーマネントを施すことができるので、まつ毛を抜かなくても逆さまつ毛の症状を治すことができ、さらに魅力的な目元の雰囲気を長期間維持することができる。
【図面の簡単な説明】
【図１】この発明の説明を容易とするための略線図である。
【図２】この発明が適用されるまつ毛を説明するための略線図である。
【図３】この発明が適用されるロットの一実施形態について説明するための略線図である。
【図４】この発明が適用されるロットの一実施形態の端面の第１の例について説明するための略線図である。
【図５】この発明が適用されるロットの一実施形態の端面の第２の例について説明するための略線図である。
【図６】この発明が適用されるロットの一実施形態の端面の第３の例について説明するための略線図である。
【図７】この発明が適用されるロットの一実施形態の端面の第４の例について説明するための略線図である。
【図８】この発明が適用されるロットの一実施形態の使用方法の一例について説明するためのフローチャートである。
【図９】この発明が適用されるロットの一実施形態の使用方法の一例について説明するための略線図である。
【符号の説明】
１・・・鼻、２・・・目頭、３・・・目尻、４・・・中央部、１１・・・まつ毛、１２・・・まぶた、１３・・・眼球、２１・・・ロット
【図１】
0003612322.tif 000002
【図２】
0003612322.tif 000003
【図３】
0003612322.tif 000004
【図４】
0003612322.tif 000005
【図５】
0003612322.tif 000006
【図６】
0003612322.tif 000007
【図７】
0003612322.tif 000008
【図８】
0003612322.tif 000009
【図９】
0003612322.tif 000010